(57)【特許請求の範囲】
【請求項１】
化粧端子台を着脱可能に取り付けるテレビ信号用のコンセントであって、
前記コンセントのコネクタ突起は前記化粧端子台の前面化粧板から後方に突出する出力端子用の円筒部の内壁に当接する少なくとも２つの固定用突起部を有し、
前記コンセントの前面壁は前面化粧板の円筒部の外壁と当接する少なくとも２つのガイド壁を有することを特徴とするテレビ信号用のコンセント。
【請求項２】
請求項１記載のコンセントであって、
前記ガイド壁は前記前面化粧板の前記円筒部の外壁に設けられたガイド突起を挟止するガイド溝を有することを特徴とするテレビ信号用のコンセント。
【請求項３】
請求項１又は請求項２記載のコンセントであって、
前記ガイド壁は前記化粧端子台の側面化粧板が変形することにより越えることが可能な高さの固定用突起部を有することを特徴とするテレビ信号用のコンセント。
【発明の詳細な説明】
【技術分野】
【０００１】
本発明は、野外アンテナ或いはケーブルテレビ等の高周波信号をテレビジョン等の受信装置に供給するための端子を有する屋内用のテレビコンセントに関するものである。
【背景技術】
【０００２】
この種のテレビコンセントは、特開平９−１３９２４０号公報の図８及び図９に示すように、部屋の壁等に埋め込まれたボックス内に収納し、ボックス前面に化粧プレートを取り付ける構成のものが広く使用されている。しかし、このような構成のテレビコンセントは、シャーシの側板部に取り付けられた同軸ケーブルの芯線が露出しているため、十分なシールド効果を得ることができない問題があった。また、コネクタの導体は回路基板にハンダ付けする構成であるため構造が複雑となる問題、或いは、化粧プレートの取り替えに多くの労力を要しコンセントの色を壁等の色に合わせて選択することができないという問題が有った。
【０００３】
上記公報に記載される発明は、上記問題を解決したテレビコンセントを提供するものであり、断面コの字状に一体成型されており、その正面部にテレビ出力端子(コネクタ)の挿通孔が設けられ、該正面部の両側の側板部に入力端子部と出力端子部とが設けられた絶縁性のケースと、該コの字状のケースに嵌挿されて装着される断面コの字状のダイカスト製のシャーシと、該シャーシの開放面を包被するシールドカバーと、上記入力端子部と上記出力端子部とをそれぞれカバーするシールド金具とを備え、上記シャーシの正面部には、該正面部から上記ケースの上記挿通孔に挿通されるコネクタの外導体が一体成型されており、上記シャーシの内面には、上記入力端子部、出力端子部、およびテレビ出力端子部が接続される回路基板をガイドするガイド手段が一体成型されているテレビコンセントを開示している。
また、 コネクタの外導体が挿通されるケースの挿通孔に、ケースの前面を覆うように化粧端子台が交換可能に装着されるテレビコンセント、及び、ケースの正面部の内面側に棒状の嵌入片と、先端に爪が形成されている嵌合爪が形成されており、シャーシの正面部に嵌入片が嵌入される嵌入孔と、嵌合爪が嵌合される嵌合孔とが形成されているテレビコンセントを開示している。
【先行技術文献】
【特許文献】
【０００４】
【特許文献１】特開平９−１３９２４０号公報
【発明の概要】
【発明が解決しようとする課題】
【０００５】
上記公報の図１に示されるテレビコンセントは、ダイカスト製のシャーシ１０、絶縁樹脂製のケース１１、化粧端子台１２、分岐回路が組まれている回路基板１３、シャーシ１０の開放面を包被することにより回路基板１３をシールドするシールドカバー１４、入力端子部と出力端子部をシールドする入力側シールド金具１６、出力側シールド金具１８から構成されている。コの字状のシャーシ１０に、コの字状に一体成型されている絶縁樹脂製のケース１１を嵌挿してテレビコンセントの本体部を組み立てて、壁等に設けられたコンセント用の穴に設置する。設置した後、前記ケース１１の前面に所望の色の化粧端子台１２を交換可能に装着することによりコンセントの設置を完了する。
上記構成に係るテレビコンセントの本体部を製造するには、シャーシ１０及びシャーシ１０に取り付ける金属製の部品の製造と組み立てに加え、絶縁性の素材によりケース１１を製造してシャーシ１０に取り付ける作業が必要となり、多くの製造工程と組み立て工程を必要とする。
【０００６】
本願発明は、従来のテレビコンセントの構成ではケース１１が担っていた化粧端子台１２を装着する機能をシャーシ１０に持たせることにより、絶縁性の素材によりケース１１を製造してシャーシ１０に取り付ける作業が不要なテレビコンセントを提供するものである。また、絶縁性の素材のケース部材が不必要であり、ダイカストにより一体形成が可能な筐体に、既存の化粧端子台を直接装着して利用することが可能なテレビコンセントを提供するものである。
【課題を解決するための手段】
【０００７】
テレビコンセントの筐体の前面に化粧端子台を保持する構成を設けることにより、筐体に化粧端子台を直接装着可能とするものである。また、化粧端子台を保持する構成を化粧端子台の円筒部の内壁面を位置決めする手段と、円筒部の外壁面を位置決めする手段により化粧端子台の上下方向と左右方向の位置を規制し、化粧端子台の円筒部に設けられたガイド突起が挿入されるガイド溝により化粧端子台の前後方向の位置を規制し、化粧端子台の側面化粧板の弾性力により回転位置を規制する突起部により化粧端子台の回転位置を規制する構成により、化粧端子台を直接装着可能なテレビコンセントの筐体をダイカストにより容易に作成することが可能とするものである。
【図面の簡単な説明】
【０００８】
【図１】本発明に使用する化粧端子台の図
【図２−１】本発明に係るテレビコンセントの斜視図その１
【図２−２】本発明に係るテレビコンセントの斜視図その２
【図３−１】化粧端子台をテレビコンセントに装着する工程図その１
【図３−２】化粧端子台をテレビコンセントに装着する工程図その２
【図３−３】化粧端子台をテレビコンセントに装着する工程図その３
【図４】本発明に係るテレビコンセントの他の形態を示す図
【発明を実施するための形態】
【０００９】
図１乃至図３−３は本発明に係るテレビコンセントの一実施態様を示すものであり、例えば上記公報の図５に示される化粧端子台を利用することが可能な実施態様である。
図１は本実施態様が使用する化粧端子台の詳細図であり、(ａ)は前面斜視図、(ｂ)は後面斜視図である。化粧端子台１０は着色された合成樹脂により形成されており、前面化粧板１１、前面化粧板１１の四方を囲む所定の幅を有する側面化粧板１２、テレビジョン等に接続される同軸ケーブルのプラグが着脱自在に接続されるコンセント本体部の出力コネクタ突起(図２−１の３６)が貫通する貫通穴１４を有し、前面化粧板１１から後方に突出する円筒部１３から構成されている。
左右の側面化粧板１２と円筒部１３の間には補強部１７が設けられている。円筒部１３の外壁１５から所定の長さのガイド突起１８が補強部１７と所定の距離を隔てて設けられている(図１(ｂ)では右側の補強部とガイド突起のみが図示されている)。コンセント本体に設けられているガイド溝４４と５４(図２−１、図２−２)への進入を容易にするため、ガイド突起１８には傾斜がつけられている。
【００１０】
図２−１と図２−２は、亜鉛合金等によるダイカスト製の筐体に２本の信号コネクタ３４と３５を有するコンセント本体３０の斜視図である。図２−１(ａ)は右前方からの斜視図であり、同図(ｂ)は左ガイド壁３２の詳細図である。また、図２−２は左前方からの斜視図であり、同図(ｂ)は右ガイド壁３３の詳細図である。
筐体は前面３１−１、左側面３１−２、右側面３１−３、及び図示されていない底面と、２本の信号コネクタが取り付けられている後面から構成されている。筐体の前面６１−１の中央には出力コネクタ３６の突起が設けられている。コネクタ３４と３５、及び出力コネクタ３６の内部には同軸ケーブルの中心導体と接続される中心導体と、中心導体を保持する絶縁部材が挿入されている。また、同図では省略されているが、コネクタ３４と３５、及び出力コネクタ３６の表面には雄ネジが形成されている。
出力コネクタ３６の上下の根本部には固定用突起部３７と３８が設けられている。固定用突起部３７の上端と固定用突起部３８の下端の距離は、化粧端子台１０の円筒部１３の内径、即ち貫通穴１４の直径とほぼ同一である。固定用突起部３７と３８には円筒部１３への挿入を容易にするための傾斜が形成されている。円筒部１３内に固定用突起部３７と３８が入るように化粧端子台１０を筐体方向に押すと、固定用突起部３７の上辺と固定用突起部３８の下辺が円筒部１３の内壁１６の接する状態となり、両者は安定的に位置決めされる。
【００１１】
出力コネクタ３６の左右には、出力コネクタ３６から所定の間隔を隔てて左ガイド壁３２と右ガイド壁３３が形成されている。図２−１(ｂ)は左ガイド壁３２の詳細図、図２−２(ｂ)は右ガイド壁３３の詳細図である。
図２−１(ｂ)に示される左ガイド壁３２の基体４８の側面４１は出力コネクタ３６と所定の間隔が隔てられており、化粧端子台１０を装着した時、円筒部１３の外壁１５が押し当てられる。ガイド溝壁４２と基体５８によりガイド溝４４が形成されている。また、ガイド溝底部４３はガイド溝４４の終点を形成している。ガイド溝４４は左ガイド壁３２の下部空間４７に開口を有しており、化粧端子台１０を取り付けた時、左側のガイド突起１８が位置する。ガイド溝壁４２の先端はガイド突起１８の進入を容易にするため、山形とされている。ガイド溝４４の幅、即ちガイド溝壁４２の内面と基体４８の面の距離はガイド突起１８の幅と略一致しており、両面によりガイド突起１８の前後の位置を規定する。
左ガイド壁３２の上部には化粧端子台固定部４６が設けられており、先端４５は山形とされ頂上部は左ガイド壁３２の表面より所定の長さ突出している。
【００１２】
図２−２(ｂ)に示される右ガイド壁３３の基体５８の側面５１は出力コネクタ３６と所定の間隔が隔てられており、化粧端子台１０を装着した時、円筒部１３の外壁１５が押し当てられる。ガイド溝壁５２と基体５８によりガイド溝５４が形成されている。また、ガイド溝底部５３がガイド溝５４の終点を形成している。ガイド溝５４は右ガイド壁３３の上部空間５７に開口を有しており、化粧端子台１０を装着した時、右側のガイド突起１８が位置する。ガイド溝壁５２の先端はガイド突起１８の進入を容易にするため、山形とされている。ガイド溝５４の幅、即ちガイド溝壁５２の内面と基体５８の面の距離はガイド突起１８の幅と略一致しており、両面によりガイド突起１８の前後の位置を規定する。
右ガイド壁３３の下部には化粧端子台固定部５６が設けられており、その先端５５は山形とされ右ガイド壁３３の表面より所定の長さ突出している。
左右のガイド壁３２と３３の外側にはコンセント本体３０を家屋の壁等に設けられたコンセント設置穴等に固定するための固定部３９と４０が設けられている。
【００１３】
図３−１乃至図３−３は、コンセント本体３０に化粧端子台１０を装着する工程を示すものである。
図３−１：コンセント本体３０の出力コネクタ３６が化粧端子台１０の貫通穴１４を通るように、化粧端子台１０をコンセント本体３０に接近させる。化粧端子台１０の右側のガイド突起１８がコンセント本体３０の右ガイド壁に設けられた上部空間５７内に入り、化粧端子台１０の左側のガイド突起１８がコンセント本体３０の左ガイド壁に設けられた下部空間４７内に入るように化粧端子台１０の傾きを調整する。化粧端子台１０をコンセント本体３０に押しつけることにより、上部固定用突起部３７と下部固定用突起部３８は円筒部１３の内壁１６に接触し、コンセント本体３０と化粧端子台１０の上下の位置関係を規定する。または、左ガイド壁３２の側面４１と右ガイド壁３３の側面５１は円筒部１３の外壁１５に接触し、コンセント本体３０と化粧端子台１０の左右の位置関係を規定する。
【００１４】
図３−２：化粧端子台１０をコンセント本体３０に押しつけることにより、化粧端子台１０の側面化粧板１２の端部は、左ガイド壁３２と右ガイド壁３３の前面と接触する。化粧端子台１０をコンセント本体３０に押しつけた状態で右回転させる。左ガイド壁３２の下部空間４７内に位置するガイド突起１８は空間内を上昇しガイド溝４４内に入る。また、右ガイド壁３３の上部空間５７内に位置するガイド突起１８は空間内を下降しガイド溝５４内に入る。左右のガイド突起１８の幅は左右のガイド溝４４と５４の幅と一致しているため、化粧端子台１０の左右のガイド突起がコンセント本体３０の左右のガイド溝内に入ることにより、コンセント本体３０と化粧端子台１０の前後の位置関係が規定される。
【００１５】
図３−３：側面化粧板１２の上面が化粧端子台固定部４６の先端４５に当たり、側面化粧板１２の下面が化粧端子台固定部５６の先端５５に当たるまで化粧端子台１０を右回転させる。
化粧端子台１０の側面化粧板１２が化粧端子台固定部４６の先端４５と化粧端子台固定部５６の先端５５に当たった状態で、更に強い回転力を加えると、樹脂等の弾性のある素材により形成されている化粧端子台１０の側面化粧板１２は変形し、化粧端子台固定部の先端４５と５５を乗り越えて回転する。乗り越えた時、化粧端子台１０の左右のガイド突起１８は各々ガイド溝４４と５４の最深部に到達し、最深部の内壁に接する構成となっている。この構成により、化粧端子台１０の側面化粧板１２が化粧端子台固定部の先端４５と５５を乗り越えた時点で回転は止まり、化粧端子台１０の装着は完了する。
【００１６】
図４は本発明に係るテレビコンセントの他の形態を示す図である。テレビコンセントの前面に化粧端子台を装着する本発明に係る構成は、任意の形状コンセントに適用可能である。図１乃至図３−３に示され形態は  同軸ケーブル用のコネクタ３４と３５をコンセント本体３０の後面壁に取り付け、コネクタを後面壁と平行な面、即ち部屋の壁面と平行な面で回転する構成であるが、コネクタの取り付け位置、或いは回転面は任意に選択可能である。図４はコネクタ３４と３５をコンセント本体７０の側面壁に取り付け、コネクタを後面壁と垂直な面内で回転可能とする構成である。
【産業上の利用可能性】
【００１７】
家屋等の壁内に設置された収納ボックスに収納して使用するテレビ信号用のコンセントの正面を覆う化粧端子台は、既に多くの数が生産され流通している。新たなコンセントを制作する場合、既存の化粧端子台、或いは既存の化粧端子台と互換性のある化粧端子台の利用が可能な構成とすることが望ましい。本発明には既存の化粧端子台を保持する手段をコンセント本体の前面壁に設けることにより、コンセント本体を亜鉛合金等のダイカストにより一体形成することを可能としたものである。
化粧端子台を保持する手段は、化粧端子台の円筒部の内壁面を位置決めする手段と、円筒部の外壁面を位置決めする手段により化粧端子台の上下方向と左右方向の位置を規制し、化粧端子台の円筒部に設けられたガイド突起が挿入されるガイド溝により化粧端子台の前後方向の位置を規制し、化粧端子台の側面化粧板の弾性力により回転位置を規制する突起部から構成されている。各位置を規制する手段は簡単な構成であり、ダイカストによりコンセント本体に一体形成することが可能である。
【図１】
0005405333.tif 000002
【図２−１】
0005405333.tif 000003
【図２−２】
0005405333.tif 000004
【図３−１】
0005405333.tif 000005
【図３−２】
0005405333.tif 000006
【図３−３】
0005405333.tif 000007
【図４】
0005405333.tif 000008